(57)【特許請求の範囲】
【請求項１】
月表示欄と、曜日表示欄と、この曜日表示欄に対応する日付表示予定欄を備え、この日付表示予定欄には当月の日付数字を第１週より記載する月単位カレンダーシートを複数枚重ねた状態で保持するカレンダーにおいて、一の月単位カレンダーシートの前記月表示欄には、当月表記と翌月表記を異なる表示パターンにて並列記載し、前記日付数字は、この当月表記と同一の表示パターンにて記載し、前記日付表示予定欄は、各日付数字を取り囲み夫々独立した形状の切離し部を形成し、この裏面にある次の月単位カレンダーシートは、前記翌月表記の表示パターンにて月表記及び日付数字を記載することを特徴とする日捲りカレンダー。
【請求項２】
前記切離し部は、月単位カレンダーシートに形成する切込みを有し、この切込みに沿って前記日付表示予定欄を取り外すと開口部が形成されることを特徴とする請求項１記載の日捲りカレンダー。
【請求項３】
前記切込みは、日付数字の少なくとも側方上部にアンカット部を設け、このアンカット部内方には下部切込みより連続する斜め切込みを形成することを特徴とする請求項２記載の日捲りカレンダー。
【請求項４】
月表示欄と、曜日表示欄と、この曜日表示欄に対応する日付表示予定欄を備え、この日付表示予定欄には当月の日付数字を第１週より記載する月単位カレンダーシートを複数枚重ねた状態で保持するカレンダーにおいて、前記月単位カレンダーシートは、少なくとも前記日付表示予定欄に剥離可能な２枚の用紙を貼り合わせた積層シート材を有し、この積層シート材の表層は、不透明部を、第二層は透明材料による透視可能部を夫々形成し、一の月単位カレンダーシートの前記月表示欄には、当月表記と翌月表記を異なる表示パターンにて並列記載し、前記日付数字は、この当月表記と同一の表示パターンにて前記不透明部に記載し、前記日付表示予定欄は、この日付数字を取り囲む形状の切離し部を形成し、この裏面にある次の月単位カレンダーシートは、前記翌月表記の表示パターンにて月表記及び日付数字を記載することを特徴とする日捲りカレンダー。
【請求項５】
前記日付表示予定欄は、第６週まで備えることを特徴とする請求項１又は請求項２又は請求項３又は請求項４記載の日捲りカレンダー。
【請求項６】
前記日付表示予定欄は、第５週まで備え、第５週の日付表示が二段併記となる切離し部では、各日付数字毎の小切離し部を形成することを特徴とする請求項１又は請求項２又は請求項３又は請求項４記載の日捲りカレンダー。
【発明の詳細な説明】
【技術分野】
【０００１】
この発明は、日捲りカレンダーに関し、特に月単位カレンダーシートの日付数字部分に切離し部を形成し、各日経過する毎に日付数字を記載する小片を取り除く日捲りカレンダーに関する。
【背景技術】
【０００２】
従来の日捲りカレンダーは、１日単位の紙片除去による日捲りが主に使用されていたが、製造効率や資源保護等の観点から月単位カレンダーシートの日捲りが提案されている。日捲りカレンダーは経過した日付を除去することで、今日が何日であるかを一目で確認できるようになっており、月単位カレンダーシートにおいてもこの点が重視された構成を採用している。
【０００３】
月単位カレンダーシートを日捲り構造としたカレンダーとしては例えば下記に示すような従来技術があった。
【特許文献１】特開平１１−２２１９８１号公報
【特許文献２】特開２００６−１１０８８７号公報
【特許文献３】特開２００６−１２３３６９号公報  これらの文献に記載されるカレンダーは、何れも２枚のシートを剥離可能に貼り合わせた積層構造のシート材を使用し、表層のシート材には日付数字を記載する小片を複数列に配列する一方、第二層のシート材には画像やメッセージ等、表層の日付数字とは異なる印刷面を形成していた。
【０００４】
このような日捲りカレンダーで日付数字を記載する小片を除去すると、第二層の画像等が表れるため現在の日付を一目で確認できる。
【発明の開示】
【発明が解決しようとする課題】
【０００５】
しかし、従来の日捲りカレンダーでは、当月の日付数字しか視認できなかったため、翌月の日付を確認するためには別の手段、例えば月単位カレンダーシートを捲らねばならなかった。
【０００６】
この発明は、従来の日捲りカレンダーが有する上記の問題点を解消すべくなされたものであり、月単位カレンダーシートを捲らなくとも、翌月の日付が一目で確認できる日捲りカレンダーを提供することを目的としている。
【課題を解決するための手段】
【０００７】
上記課題を解決するため、この発明の日捲りカレンダーは、月表示欄と、曜日表示欄と、この曜日表示欄に対応する日付表示予定欄を備え、この日付表示予定欄には当月の日付数字を第１週より記載する月単位カレンダーシートを複数枚重ねた状態で保持するカレンダーにおいて、一の月単位カレンダーシートの前記月表示欄には、当月表記と翌月表記を異なる表示パターンにて並列記載し、前記日付数字は、この当月表記と同一の表示パターンにて記載し、前記日付表示予定欄は、各日付数字を取り囲み夫々独立した形状の切離し部を形成し、この裏面にある次の月単位カレンダーシートは、前記翌月表記の表示パターンにて月表記及び日付数字を記載することを特徴とするものである。
【０００８】
各月単位カレンダーシートにおける月表示欄、曜日表示欄及び日付表示予定欄は同一位置、同一大きさに設定する。
【０００９】
月表示欄には、例えばシートの上部に、３／４等の数字あるいはMarch／April等の文字列を並列して記載する。異なる表示パターンとは、月表記の表示方法、印刷色などが異なるもので、例えば当月表記を周辺白色及び数字墨色の表記とするのに対し、翌月表記を周辺灰色及び数字墨色とする。
【００１０】
日付表示予定欄で、第１週において日付数字を記載しない箇所においても夫々独立した形状の切離し部は形成し、遅くとも日付数字１を除去する際には、それより前日分の第１週の日付数字予定欄の切離し部は全て除去する。
【００１１】
除去された日付数字予定欄はシート上に格子状の次シート視認可能部を形成し、裏面にある次の月単位カレンダーシートが表出する。この部分の日付数字は前記翌月表記の表示パターン、例えば当月の日付数字が周辺白色及び数字墨色で記載されるのに対し、次シート視認可能部から表出する日付数字は周辺灰色及び数字墨色で記載されるものとする。
【００１２】
請求項２記載の日捲りカレンダーにおける切離し部は、月単位カレンダーシートに形成する切込みを有し、この切込みに沿って前記日付表示予定欄を取り外すと開口部が形成されることを特徴とするものである。
【００１３】
切込みは日付数字を取り囲むように形成するもので、押し込みあるいは引っ張ることで切離し部を除去する。隣接する切離し部との間には格子状のシートが残置されることになるので、切離し時にこの格子部が切断されないようシートの材質及び切込深さを設定する。
【００１４】
請求項３記載の日捲りカレンダーの切込みは、日付数字の少なくとも側方上部にアンカット部を設け、このアンカット部内方には下部切込みより連続する斜め切込みを形成することを特徴とするものである。
【００１５】
切込みは矩形状で両側方の上部が接続しており、下方に引っ張ることで接続部分がちぎれ切離しができる。アンカット部は月単位カレンダーシートを捲る際に日付表示予定欄がバタつかないように適数箇所設ける。
【００１６】
請求項４記載の日捲りカレンダーの月単位カレンダーシートは、少なくとも日付表示予定欄に剥離可能な２枚の用紙を貼り合わせた積層シート材を有し、この積層シート材の表層は、不透明部を、第二層は透明材料による透視可能部を夫々形成し、一の月単位カレンダーシートの月表示欄には、当月表記と翌月表記を異なる表示パターンにて並列記載し、日付数字は、この当月表記と同一の表示パターンにて前記不透明部に記載し、前記日付表示予定欄は、この日付数字を取り囲む形状の切離し部を形成し、この裏面にある次の月単位カレンダーシートは、前記翌月表記の表示パターンにて月表記及び日付数字を記載することを特徴とするものである。
【００１７】
積層シート材を採用する範囲は月単位カレンダーシート全体でもよいし、切離し部を有する日付表示予定欄のみでもよい。又表層の不透明部は月単位カレンダーシート全体でもよいし、切離し部を有する日付表示予定欄のみでもよい。切離し部は第二層のシート材から剥すことで除去し、次シート視認可能部を形成する。即ち表層の切離し部を剥すと第二層の透明シートを通して次シートの日付数字が表出する。
【００１８】
請求項５記載の日捲りカレンダーの日付表示予定欄は、第６週まで備えることを特徴とするものである。各月単位カレンダーシートは第１週から日付数字を記載するが、月最終の日付は第４週から第６週まで変化する。月最終の日付以降の日付表示予定欄は切離し部を設けなくともよい。
【００１９】
請求項６記載の日捲りカレンダーの日付表示予定欄は、第５週まで備え、第５週の日付表示が二段併記となる切離し部では、各日付数字毎の小切離し部を形成することを特徴とするものである。
【００２０】
第６週があって第５週に併記する場合には、当該日付数字は上下二段に記載し、第５週と第６週の日付数字を夫々独立して除去し得るよう切離し部を構成する。二段併記箇所では第５週の日付数字を除去すると次シートの第５週の日付数字の半分が表出し、第６週分を除去した時点で全体が視認できる。
【発明の効果】
【００２１】
この発明の日捲りカレンダーは、当月表記と翌月表記を異なる表示パターンにて並列記載し、日付数字を当月表記と同一の表示パターンにて記載すると共に各日付数字を取り囲み夫々独立した形状の切離し部を形成するので、日捲りと同様に日付経過毎に当該日付を除去すると、裏面にある次の月単位カレンダーシートを視認することが可能になる。隣接する切離し部との間には格子状のシートが残置されるので、シートの平面維持が良好となる。
【００２２】
日付数字は当月の日付数字と翌月の日付数字で表示パターンが異なり、かつ表示パターンは月表記で例示されているため、その境界が今日であると一目で確認できる。又当月の第ｎ週・ｍ曜日である今日に対し、翌月の第ｎ週・ｍ曜日は何日が該当するのかが一目で確認できる。又、切離した日付数字の余白メモ欄を予定表や手帳等に保存できる。
【００２３】
請求項２記載の日捲りカレンダーは切込みによる切離し部を設けるので、一枚シートを適用でき、製造コストの上昇が抑えられる。又請求項３記載の日捲りカレンダーの切込みは、日付数字の側方上部にアンカット部を設け、内方に斜め切込みを形成するので切離しが容易になり、隣接する切離し部との間に残置される格子枠が切断されなくなる。このため薄いシート材でも適用できる。
【００２４】
請求項４記載の日捲りカレンダーは、表層に切離し部を備える不透明部、第二層に透明材料による透視可能部を形成し、両者を剥離可能な積層シート材とするので、切離しがスムーズになると共に格子枠の切断がなくなる。
【００２５】
請求項５記載の日捲りカレンダーの日付表示予定欄は、第６週まで備えるので全ての月に対して同一条件で日付数字を記載できる。請求項６記載の日捲りカレンダーの日付表示予定欄は、第５週までとするのでシートの大きさが経済的となり、かつ二段併記となる第５週の日付表示では小切離し部を形成するので次シートの日付数字を確認できる。
【発明を実施するための最良の形態】
【００２６】
次にこの発明の実施の形態を添付図面に基づき詳細に説明する。図１は５月当初の日捲りカレンダーの正面図、図２は６月当初の日捲りカレンダーの正面図、図３及び図４は夫々日付１を取り外す時又は日付２９を取り外す時の５月の日捲りカレンダーの正面図である。
【００２７】
日捲りカレンダー１は、月単位カレンダーシート２を複数枚重ね、上端に設ける綴じ部３で保持しており、ミシン目状の切込２ａ等を利用して切離す。各月単位カレンダーシート２は、上部に月表示欄４、その下方に曜日表示欄５、更に曜日表示欄５に対応する７列、ｎ行（図１乃至図４ではｎ＝５）の日付表示予定欄６を備える。
【００２８】
月表示欄４には、当月４ａを表示する「５」の数字を下地白色のシートに記載し、所定間隔あけて翌月４ｂを表示する「６」の数字は周辺を灰色に着色して記載する。
【００２９】
日付表示予定欄６は、７×ｎ箇所（図１乃至図４では３５箇所）の日付表示部６ａを有し、その内部に当月の日付数字６ｂを第１週より記載する。各日付表示部６ａは切込線６ｃで囲まれており、この切込線６ｃを利用して各日付表示部６ａ毎に切抜きができる。
【００３０】
日付数字６ｂは当月４ａの表記と同一の表示パターンにて記載する。即ち下地白色のシートに数字を記載する。なお、数字の表記方法は図１に示すように平日、土曜、日曜及び祝日では区別してもよい。
【００３１】
第１週又は第５週で日付数字６ｂを記載しない日付表示部６ａも切込線６ｃで囲み、切抜き可能とする。
【００３２】
図２に示す月表示欄１４には、当月１４ａを表示する「６」の数字を周辺灰色に着色して記載し、翌月１４ｂを表示する「７」の数字は下地白色のシートに記載する。この当月１４ａの表示パターンは図１の翌月４ｂを表示するパターンと同一である。
【００３３】
図２の日付表示予定欄１６は、図１の日付表示予定欄６と同一位置・同一大きさに設定する。各日付表示部１６ａは切込線１６ｃで囲まれており、日付数字１６ｂは当月１４ａの表記と同一の表示パターン、即ち各数字を周辺灰色に着色して記載する。
【００３４】
なお、図２では日付数字１６ｂの周辺のみ着色しているが、翌月１４ｂを表記する部分を除く月単位カレンダーシート１２の全体を着色するものでもよい。
【００３５】
図１の５月の日捲りカレンダー１において、「１」の日付表示部６ａを除去すると共に、それより前日分の第１週の日付表示部を全て除去すると図３のようになる。除去された箇所の日付数字予定欄６は、月単位カレンダーシート２に開口部６ｄを開設し、これより裏面にある翌月のシートが表出する。
【００３６】
翌月（６月）の日付数字１６ｂは周辺を灰色に着色して数字を記載しているため、当月（５月）の日付数字６ｂとの違いが明瞭であり、一目で今日が５月２日であると確認できる。又、翌月（６月）の第１週の日付が視認できるため、今日（第１週の金曜日）に対応する翌月の日付（６月６日）が瞬時に判る。
【００３７】
ある行事が行なわれる日付が第ｎ週のｍ曜日（例えば第２週の金曜日）であるとし、本日がその日であるとした時、翌月の第ｎ週のｍ曜日は何日になるのかを確認する場合がある。その際にはシートを捲ることなく確認できる。
【００３８】
図４に示すように月の終盤に至ると、月単位カレンダーシート２は大半が開口部６ｄとなり翌月（６月）の日付数字１６ｂが多数を占めるようになる。翌月の最終日（６月３０日）を過ぎると日付表示部６ａを除去しても数字は表れない。このように、翌月最終日を経過した場合には、翌月のカレンダーと略同じになる。
【００３９】
次に切離し部の詳細を図５に基づき説明する。図５は日付数字予定欄の一部を拡大した正面図である。日付数字６ｂを取り囲む切込線６ｃは、シートが厚紙のときは押し込みにより、又薄紙のときは引っ張りによって除去し得るよう切込の長さ・深さを設定する。
【００４０】
切込線６ｃは上部２箇所にアンカット部６ｅを設けてシートと接続しているが、この部分を除く上辺、両側辺及び下辺は全てカットしておき、日付表示部６ａの下方を摘んで引きちぎる時に格子部２ｂが切断されないよう上方角部６ｆは斜めに形成する。
【００４１】
図６に別の実施形態の切込線を示す。日付数字１０６ｂを取り囲む切込線１０６ｃは、側方上部２箇所にアンカット部１０６ｅを設けてシートと接続させ、このアンカット部１０６ｅの内方に斜め切込線１０６ｆを形成する。このようにアンカット部を上方のみに設けると日付表示部６ａ，１０６ａの下方を摘みやすくなる。
【００４２】
日捲りカレンダーは月単位カレンダーシートの下方欄にカレンダー提供者等の広告を後刷りすることがあるが、これを印刷する際にはシートを一枚ずつ捲るため、日付表示予定欄がバタつく恐れがある。これを防止するためアンカット部を適数箇所増設する。
【００４３】
アンカット部を増設した切込線の実施形態を図７及び図８に示す。図７は側方上下部の４箇所にアンカット部１０６ｅを設けてシートと接続させたものであり、夫々アンカット部１０６ｅの内方に斜め切込線１０６ｆを形成する。又図８は側方上部２箇所と下辺中央にアンカット部１０６ｅを設けてシートと接続させるものである。
【００４４】
図１乃至図４に示す日捲りカレンダーの月表示欄は、数字の背景色を変化させて当月表記と翌月表記を異なる表示パターンとしているが、色の変化によらなくともよい。例えば図９に示すように、当月１０４ａを表示する「５」の数字を無装飾で記載する一方、所定間隔あけて翌月１０４ｂを表示する「６」の数字は長円内に記載する。
【００４５】
これに伴い当月の月単位カレンダーシート１０２における日付数字１０６ｂは当月１０４ａの表記と同一に無装飾で記載するが翌月の月単位カレンダーシートの日付数字１１６ｂは各数字を長円内に記載する。図９は５月の日捲りカレンダーにおいて、「１３」の日付表示部１０６ａを除去したときを示す。除去された箇所の日付数字予定欄１０６は、月単位カレンダーシート１０２に開口部１０６ｄを開設し、これより裏面にある翌月（６月）の日付数字１１６ｂが表出する。
【００４６】
背景色を変えない他の実施形態を図１０に示す。図１０では、当月１０４ａを表示する「５」の数字を同じく無装飾で記載する一方、所定間隔あけて翌月１０４ｂを表示する「６」の数字には添字６を記載する。
【００４７】
これに伴い当月の月単位カレンダーシート１０２における日付数字１０６ｂは当月１０４ａの表記と同一に無装飾で記載するが翌月の月単位カレンダーシートの日付数字１１６ｂは各数字に添字６を記載する。図１０は５月の日捲りカレンダーにおいて、「１」の日付表示部１０６ａを除去したときを示す。除去された箇所の日付数字予定欄１０６は、月単位カレンダーシート１０２に開口部１０６ｄを開設し、これより裏面にある翌月（６月）の日付数字１１６ｂが表出する。
【００４８】
日付表示予定欄は５週（まれに４週）又は６週となるが、全ての月単位カレンダーシートは予め何れかに統一させておく。図１１乃至図１３に６週表記、図１４乃至図１６に５週表記の日捲りカレンダーの正面図を示す。なお、図１１乃至図１６おいて図１乃至図３で示す構成の部材と同一の構成の部材は同一の符号を付して詳細な説明は省略する。
【００４９】
図１１は３月当初の日捲りカレンダーの正面図、図１２は４月当初の日捲りカレンダーの正面図、図１３は日付２７を取り外す時の３月の日捲りカレンダーの正面図である。月単位カレンダーシート２は、夫々７列６行の日付表示予定欄６を備える。なお当月４ａを表示する「３」の数字は周辺を灰色に着色して記載し、翌月４ｂを表示する「４」の数字は下地白色のシートにそのまま記載してある。
【００５０】
従って３月の日付表示予定欄６は、日付数字６ｂを周辺灰色に着色して記載する一方、４月の日付表示予定欄１６は、日付数字１６ｂを下地白色のシートにそのまま記載する。３月の日付表示予定欄６は、第１週から第６週に亘り日付数字６ｂが存在するのに対し、４月の日付表示予定欄１６は、第１週から第５週までしか日付数字１６ｂがなく、第６週は全て空欄となる。図１３に示すように３月２７日の日付表示部６ａを除去する時には翌月の最終日（４月３０日）を過ぎているのでこれ以降日付数字は表れない。
【００５１】
このように第６週まで日付表示予定欄を備えると、空欄を生ずる場合はあるが全ての月に対して同一条件で日付数字を記載できることになりカレンダーの製作工程が容易になる。
【００５２】
これに対し５週表記の日捲りカレンダーの場合、第６週分が存在すると日付数字の記載方法を変えなければならない。図１４は３月当初の日捲りカレンダーの正面図、図１５は４月当初の日捲りカレンダーの正面図、図１６は日付２７を取り外す時の３月の日捲りカレンダーの正面図である。
【００５３】
４月の日付表示予定欄１６は、第１週から第５週まで全て通常の日付数字１６ｂの記載で済ませられるが、３月の日付表示予定欄６において第５週は日曜、月曜の日付表示部７が二段併記となる。但し、第５週火曜日以降の日付表示部６ａは通常の日付数字６ｂに戻る。
【００５４】
二段併記の日付表示部７は、第５週の日付数字７ａと第６週の日付数字７ｂとを上下二段に記載し、各日付数字７ａ，７ｂを夫々切込線７ｃで囲む。このように第６週があって第５週の頭部に併記する場合には、第５週と第６週の日付表示部を夫々独立して除去し得るように切込線７ｃを構成する。
【００５５】
図１６に示すように二段併記箇所では第５週の日付数字７ａを記載する日付表示部を除去すると次シートの第５週の日付数字１６ｂの半分が表出する。続いて第５週の火曜日以降の日付表示部６ａを除去し、更に第６週の日付数字７ｂを記載する日付表示部を除去した時点で翌月の第５週全体が視認できるようになる。
【００５６】
以上説明した日捲りカレンダーは単一構造のシートに切離し部を形成したが、切離しを容易にするため積層シート材を用いてもよい。図１７及び図１８に積層シート材を用いる日捲りカレンダーの構成を示す。図１７は日付数字予定欄の一部を拡大した正面図、図１８は日付数字予定欄の一部拡大断面図である。
【００５７】
この日捲りカレンダーに使用する月単位カレンダーシートは不透明なシート材による表層８と透明シート材による第二層９とを剥離可能な図示しない接着剤で貼り合わせてある。表層８は上質紙，コート紙，クラフト紙等から適宜選択したものを用い、図１に記載した月単位カレンダーシート２と同様に日付表示部６ａを切込線６ｃで囲む。
【００５８】
この切込線６ｃは、完全に剥がせるように抜かれていても、又図５乃至図８で示したように途中のカットが一部繋がっていてもよい。切込線６ｃは図示しない接着剤の層まで到達しており、日付表示部６ａの紙片と共に剥ぎ取られる。この切込線６ｃに沿って表層８の日付表示部６ａを第二層９から剥すと、剥がされた後に形成される開口部６ｄに次シートの日付表示部１６ａが表出する。
【産業上の利用可能性】
【００５９】
この発明の日捲りカレンダーは、吊下式に限らず卓上カレンダーを含む広く一般の日捲りカレンダーに適用することができる。
【図面の簡単な説明】
【００６０】
【図１】５月当初の日捲りカレンダーの正面図である。
【図２】６月当初の日捲りカレンダーの正面図である。
【図３】日付１を取り外す時の５月の日捲りカレンダーの正面図である。
【図４】日付２９を取り外す時の５月の日捲りカレンダーの正面図である。
【図５】日付数字予定欄の一部を拡大した正面図である。
【図６】別の実施形態の日付数字予定欄の一部を拡大した正面図である。
【図７】アンカット部を増設した実施形態の日付数字予定欄の一部を拡大した正面図である。
【図８】アンカット部を増設した別の実施形態の日付数字予定欄の一部を拡大した正面図である。
【図９】別の実施形態の日付１３を取り外す時の５月の日捲りカレンダーの正面図である。
【図１０】背景色を変えない他の実施形態の日捲りカレンダーの正面図である。
【図１１】６週表記の３月当初の日捲りカレンダーの正面図である。
【図１２】６週表記の４月当初の日捲りカレンダーの正面図である。
【図１３】６週表記の日付２７を取り外す時の３月の日捲りカレンダーの正面図である。
【図１４】５週表記の３月当初の日捲りカレンダーの正面図である。
【図１５】５週表記の４月当初の日捲りカレンダーの正面図である。
【図１６】５週表記の日付２７を取り外す時の３月の日捲りカレンダーの正面図である。
【図１７】他の実施形態の日付数字予定欄の一部を拡大した正面図である。
【図１８】他の実施形態の日付数字予定欄の一部拡大断面図である。
【符号の説明】
【００６１】
１  日捲りカレンダー
２  月単位カレンダーシート
４，１４  月表示欄
４ａ，１４ａ  当月
４ｂ，１４ｂ  翌月
５  曜日表示欄
６，１６  日付表示欄
６ａ，１６ａ  日付表示部
６ｂ，１６ｂ  日付数字
６ｃ  切込線
６ｄ  開口部
【要約】
【課題】月単位カレンダーシートを捲らなくとも、翌月の日付が一目で確認できる日捲りカレンダーを提供する。
【解決手段】日捲りカレンダー１の月単位カレンダーシート２は月表示欄４、曜日表示欄５、日付表示予定欄６を備え、月表示欄４の当月４ａ及び翌月４ｂの表示パターンに合わせて当月の日付数字６ｂ及び翌月の日付数字１６ｂを第１週より記載する。各日付表示部６ａは切込線６ｃで囲まれており切抜きができる。日付表示部６ａを除去すると開口部６ｄを開設し翌月の日付数字１６ｂが表出する。当月の日付数字６ｂとの違いが明瞭であるため、一目で今日の確認ができる。又今日に対応する翌月の日付も瞬時に判る。
【選択図】図３【図１】
0004228030.tif 000002
【図２】
0004228030.tif 000003
【図３】
0004228030.tif 000004
【図４】
0004228030.tif 000005
【図５】
0004228030.tif 000006
【図６】
0004228030.tif 000007
【図７】
0004228030.tif 000008
【図８】
0004228030.tif 000009
【図９】
0004228030.tif 000010
【図１０】
0004228030.tif 000011
【図１１】
0004228030.tif 000012
【図１２】
0004228030.tif 000013
【図１３】
0004228030.tif 000014
【図１４】
0004228030.tif 000015
【図１５】
0004228030.tif 000016
【図１６】
0004228030.tif 000017
【図１７】
0004228030.tif 000018
【図１８】
0004228030.tif 000019